(57)【要約】【課題】積層対象である捨板等との接着が困難な合成樹脂材料の床下地材を使用したとしても、接着剤のみで積層対象と確実に一体化することができる床下地材用樹脂ボード及びそれを用いた二重床を提供する。【解決手段】他の床構成材１０と床基盤２０との間に使用され、積層対象と接着剤８で一体化するための床下地材用樹脂ボード１であって、少なくとも表皮１Ａが合成樹脂材料からなり、その表皮１Ａの上面に、表皮１Ａと物理的に接合した接着層１Ｂが形成されている床下地材用樹脂ボード、及び、このような床下地材用樹脂ボードを用いた二重床であって、床下地材用樹脂ボード１の接着層１Ｂの上面に、木質材料からなる捨板２を介して仕上材３が積層されている二重床。また、表皮１Ａはポリプロピレンであり、接着層１Ｂは繊維材料であり、接着剤８は酢酸ビニル系接着剤又はウレタン系接着剤であることが好ましい。【選択図】  図１
2004162408.tif 000002
【特許請求の範囲】
【請求項１】
他の床構成材（１０）と床基盤（２０）との間に使用され、積層対象と接着剤（８）で一体化するための床下地材用樹脂ボード（１）であって、少なくとも表皮（１Ａ）が合成樹脂材料からなり、その表皮（１Ａ）の上面に、表皮（１Ａ）と物理的に接合した接着層（１Ｂ）が形成されていることを特徴とする床下地材用樹脂ボード。
【請求項２】
表皮（１Ａ）が、ポリプロピレンからなることを特徴とする請求項１に記載の床下地材用樹脂ボード。
【請求項３】
接着層（１Ｂ）が、繊維材料からなることを特徴とする請求項１又は２に記載の床下地材用樹脂ボード。
【請求項４】
表皮（１Ａ）と接着層（１Ｂ）とが、表皮（１Ａ）の成形時に接合されていることを特徴とする請求項１から３のいずれか１項に記載の床下地材用樹脂ボード。
【請求項５】
請求項１から４のいずれか１項に記載の床下地材用樹脂ボードを用いた二重床であって、床下地材用樹脂ボード（１）の接着層（１Ｂ）の上面に、木質材料からなる捨板（２）を介して仕上材（３）が積層されていることを特徴とする二重床。
【請求項６】
床下地材用樹脂ボード（１）の接着層（１Ｂ）と捨板（２）とが、酢酸ビニル系接着剤又はウレタン系接着剤のみで一体化されていることを特徴とする請求項５に記載の二重床。
【発明の詳細な説明】
【０００１】
【発明の属する技術分野】
本発明は、戸建て住宅、集合住宅、体育館等の床面に使用される床下地材用樹脂ボード及びそれを用いた二重床に関するものである。
【０００２】
【従来の技術】
従来から、戸建て住宅、集合住宅、体育館等には、支持脚や根太で床下地材を支持し、床下地材同士を捨板で接合し、捨板の上面に仕上材を配置した二重床が広く使用されている（例えば、特許文献１参照。）。
【０００３】
【特許文献１】
特開２０００−３０３６６５号公報  （第２頁、図２）
【０００４】
ここで、従来の二重床は、床下地材、捨板、仕上材が全て木質材料で構成されているので、木材の吸湿特性によって床全体が伸縮することとなり、床表面に反り、浮き、隙間等が発生するという問題があった。また、腐朽菌や白アリ等による劣化の恐れがあるので、長期耐久性にも問題があった。更に、体育館のように床面積が大きくなると、床弾性や床強度のバラツキが大きくなるという問題もあった。
【０００５】
このような問題は、床下地材を木質材料とせず、合成樹脂材料にすることで解決することが可能である。即ち、基礎となる床下地材を合成樹脂材料に変更することによって、吸湿による反り、浮き、隙間等の問題の発生を防止すると共に、腐朽菌や白アリ等による劣化の恐れをなくし、耐久性を大幅に向上させることができるのである。
【０００６】
【発明が解決しようとする課題】
しかしながら、従来の二重床と同様に、仕上材に木質材料を使用しようとすると、捨板と釘打ちして固定する関係上、捨板も従来と同様の木質材料にしておく必要が生じる。すると、床下地材と捨板とが共に木質材料の場合には接着剤で十分結合していたが、床下地材を例えばポリプロピレン製とした場合、今度は木質材料の捨板との接着強度が不足するという問題が発生してしまう。
【０００７】
そこで本発明は、積層対象である捨板等との接着が困難な合成樹脂材料の床下地材を使用したとしても、接着剤のみで積層対象と確実に一体化することができる床下地材用樹脂ボード及びそれを用いた二重床を提供することを目的とするものである。
【０００８】
【課題を解決するための手段】
本発明は以上の課題を解決するためになされたものであって、その第１の要旨は、他の床構成材と床基盤との間に使用され、積層対象と接着剤で一体化するための床下地材用樹脂ボードであって、少なくとも表皮が合成樹脂材料からなり、その表皮の上面に、表皮と物理的に接合した接着層が形成されている床下地材用樹脂ボードに係るものである。
【０００９】
そして好ましくは、表皮がポリプロピレンからなり、接着層が繊維材料からなる床下地材用樹脂ボードであって、より好ましくは、表皮と接着層とが表皮の成形時に接合されている床下地材用樹脂ボードに係るものである。
【００１０】
また、本発明の第２の要旨は、上記の床下地材用樹脂ボードを用いた二重床であって、床下地材用樹脂ボードの接着層の上面に、木質材料からなる捨板を介して仕上材が積層されている二重床に係るものであり、好ましくは、床下地材用樹脂ボードの接着層と捨板とが、酢酸ビニル系接着剤又はウレタン系接着剤のみで一体化されている二重床に係るものである。
【００１１】
【発明の実施の形態】
本発明の床下地材用樹脂ボードは、少なくとも表皮が合成樹脂材料からなる。即ち、基礎となる床下地材を従来の木質材料から変更し、少なくとも表皮を合成樹脂材料とすることによって、吸湿による反り、浮き、隙間等の問題の発生を防止すると共に、腐朽菌や白アリ等による劣化の恐れをなくし、耐久性を大幅に向上させているのである。
【００１２】
ここで、本発明の床下地材用樹脂ボードは、少なくとも表皮が合成樹脂材料であればよく、当然ながら全体が合成樹脂材料であってもよい。また、合成樹脂材料は特に限定されるものではなく、合成樹脂が主成分であれば他の材料を混合してもよい。但し、熱可塑性樹脂であることが好ましい。熱硬化性樹脂であると最終的な破壊形態が木質材料と同様に板割れとなり危険が伴うが、熱可塑性樹脂であれば曲がるだけなので、大きな衝撃が作用する体育館の床に使用しても安全だからである。
【００１３】
熱可塑性樹脂としては、例えば、ポリプロピレン、ポリ塩化ビニール、アクリルニトリル・ブタジエン・スチレン、サーモプラスチック・オレフィン等が使用でき、融合可能なものならば複数種類混合したものでもよいが、特に、リサイクル樹脂として活用できるポリプロピレンが好ましい。即ち、樹脂材料は未使用のものに限られず、取り外した自動車のバンパーやバッテリケース等から得られる合成樹脂廃材を利用した、ポリプロピレン等のリサイクル樹脂を使用することもできる。
【００１４】
そして、本発明の床下地材用樹脂ボードは、合成樹脂材料からなる表皮の上面に、表皮と物理的に接合した接着層が形成されている。この接着層は、捨板等の積層対象と接着剤で一体化するためのものであり、ビス止めやプライマー処理を施すことなく、接着剤のみで積層対象と結合できる。即ち、合成樹脂材料のままでは接着が困難であるとしても、接着層を介することによって、他の材料と容易に接着できるようになるのである。
【００１５】
この点に関し更に詳述すれば、例えば、ポリプロピレン製の床下地材と木材の捨板とを直に接着剤で結合しようとすると、強度的に満足できないものとなってしまう。そのため、ビス止めをすることが考えられるが、ビス止めでは面剛性が比較的弱く、経済性の点でも不利である。また、接着の前処理としてプライマーを塗布することも考えられるが、塗布工程の追加により、新たな材料費及び加工費が発生し経済的ではない。
【００１６】
そこで、接着剤で積層対象と一体化することが可能な接着層を用い、接着層と合成樹脂材料とを物理的に接合することとしたのである。ここで、物理的な接合とはアンカー効果による結合等をいい、そのような接合ができる接着層として、不織布、寒冷紗、布、紙等の繊維材料が好適に使用できる。なお、材質的には、ポリエステル、ナイロン等の接着強度を確保できるものが好ましい。
【００１７】
また、表皮と接着層とは、表皮の成形時に接合することが好ましい。例えば、リサイクル樹脂を床下地材とするには、粒状にしたリサイクル樹脂を摩擦熱により溶融し、粒状の植物性粉砕品を混入して多孔性となるように低圧にて板状に押し出して中間樹脂層とし、その上下面に薄板状の表皮を一体化すればよいが、押出成形機を用いてポリプロピレン表皮を成形する際に、厚みをコントロールするカレンダーロールに不織布等の繊維材料を巻き込んで、同時に成形してしまうのである。
【００１８】
次に、本発明の二重床は、上記した床下地材用樹脂ボードの接着層の上面に、木質材料からなる捨板を介して仕上材を積層したものである。即ち、床基盤に配置した支持脚と他の床構成材である捨板との間に上記の床下地材用樹脂ボードを使用し、捨板の上に仕上材を積層して二重床としたものである。
【００１９】
本発明の二重床は、木質材料からなる捨板を使用するので、従来の二重床と同様に、仕上材に木質材料を使用して捨板と釘打ちして固定することができる。そして、耐湿性、耐水性、耐久性、リサイクル性等に優れる合成樹脂材料の床下地材を使用しつつ、接着層を介して接着剤のみで木質材料の捨板と強固に接着するので、ビス止めやプライマー処理は不要となる。この接着剤としては、酢酸ビニル系接着剤又はウレタン系接着剤が好適に使用できる。
【００２０】
なお、仕上材は、体育館用の二重床では木質材料であり、戸建て住宅や集合住宅でもダニの発生防止等の観点から木質材料にすることが増加しているが、本発明の二重床では仕上材の材質に制限はなく、木質材料の他、カーペット地等を使用することもできる。
【００２１】
【実施例】
以下、本発明の好ましい実施の形態の具体例を図面に基づいて説明する。図１は、本発明の床下地材用樹脂ボードを用いた二重床の一例を示す側面図である。図１に示す二重床は、クッションゴム４を下端に有し、受金具６を上端に有する支持脚５を用いたものであり、二つの床下地材用樹脂ボード１と一つの支持脚５とがコマ受け材７を介して固定されている。また、床下地材用樹脂ボード１の上面には木質材料からなる捨板２（他の床構成材１０）が隣接する床下地材用樹脂ボード１を跨いで接着剤で止められ、更にその上面全体には木質材料からなる仕上材３（他の床構成材１０）が接着剤及び脳天釘９で固定されている。なお、床下地材用樹脂ボード１は、支持脚５で支持しても根太で支持してもよい。即ち、従来の二重床と全く同様に施工できるものである。
【００２２】
ここで、二重床の基礎となる本発明の床下地材用樹脂ボード１について更に詳述すると、床下地材用樹脂ボード１は、取り外した自動車のバンパー、バッテリケース等の熱可塑性合成樹脂廃材を利用したリサイクル樹脂からなる。即ち、粒状に破砕した熱可塑性リサイクル樹脂を摩擦熱により溶融し、ケナフコア（１年草植物であるケナフの茎の芯部）の粉砕品や木材のチップ等の植物性粉砕品を混入して多孔性となるように低圧にて板状に押し出し、その上下面に薄板状のポリプロピレン表皮１Ａを一体化したものである。
【００２３】
また、図２に示すように、押出成形機３０を用いてポリプロピレン表皮１Ａを成形する際に、厚みをコントロールするカレンダーロール３１に繊維材料を巻き込んで、接着層１Ｂを同時に成形している。従って、表皮１Ａと接着層１Ｂとがアンカー効果によって物理的に接合される。そして、図３に示すように、床下地材用樹脂ボード１の接着層１Ｂと捨板２とは、接着剤８のみで強固に一体化されることとなる。
【００２４】
次に、接着層１Ｂに不織布を使用し、捨板２となる針葉樹合板との接着強度を試験した。最初に、不織布としてポリエステルスパンボンド（ポリエステル長繊維を熱ローラにより熱融着させたもの）、接着剤８として酢酸ビニル系接着剤を使用し、不織布の目付と接着強度との関係を試験した。その結果、目付量にほぼ比例して接着強度が向上することが確認された。但し、目付量が７５ｇ／ｍ２  以上になると接着強度はほとんど上がらない。従って、目付量は、必要な接着強度や経済性等とのバランスを考慮して、７５ｇ／ｍ２  までの範囲で適宜決定すればよい。
【００２５】
また、不織布の種類と接着強度との関係も試験した。不織布としてスパンボンド（長繊維を熱ローラにより熱融着させたもの）、ニードルパンチ（長繊維をニードル（針）により絡ませたもの）、短繊維ニードルパンチ（短繊維をニードル（針）により絡ませたもの）、ウォーターパンチ（長繊維を水圧により絡ませたもの）を用い、酢酸ビニル系接着剤で針葉樹合板と接着したところ、ニードルパンチ及びウォーターパンチが、スパンボンド及び短繊維ニードルパンチよりも、約０．１ＭＰａ高い接着強度が得られた。従って、接着強度の点では、同じ目付でも長繊維で厚みのあるニードルパンチ及びウォーターパンチが好適である。なお、これは厚みによってアンカー効果が向上したものと考えられる。
【００２６】
更に、不織布と接着剤との組合せによる接着強度の変化を試験した。目付量を７０ｇ／ｍ２  （短繊維ニードルパンチのみ７５ｇ／ｍ２  ）として、ニードルパンチ、短繊維ニードルパンチ、ウォーターパンチのそれぞれについて、酢酸ビニル系接着剤及びウレタン系接着剤で針葉樹合板と接着させた。その結果、接着剤の種類による接着強度の差はほとんどなく、接着強度の差は、不織布の種類に起因することが確認された。従って、接着剤は、接着強度以外の要素、即ち、コスト面や環境に対する影響等を考慮して選択すればよい。
【００２７】
【発明の効果】
本発明の床下地材用樹脂ボード及びそれを用いた二重床は、床下地材用樹脂ボードの少なくとも表皮が合成樹脂材料からなり、その表皮の上面に、表皮と物理的に接合した接着層が形成されているので、接着剤のみで積層対象と一体化できる。即ち、床下地材の少なくとも表皮を合成樹脂材料とすることによって、特別の換気手段等を設けることなく、反り、浮き、隙間等の発生が防止され、耐久性が向上し、かつ、接着層によって、木質材料等の積層対象とも、ビス止めやプライマー処理をすることなく確実に一体化することができる。
【００２８】
従って、捨板との結合をビスではなく接着剤にすることができ、面剛性が上がると共に、低コスト化が可能となる。また、プライマー処理が不要なので、低コスト化が可能であり、有機溶媒を使わないことから作業環境によく安全である。しかも、プライマーの乾燥工程がなく、取扱いが容易で保管性に優れ、積み重ねもできる。
【図面の簡単な説明】
【図１】図１は、本発明の床下地材用樹脂ボードを用いた二重床の一例を示す側面図である。
【図２】図２は、本発明の床下地材用樹脂ボードにおける表皮と接着層との接合方法の一例を示す概念図である。
【図３】図３は、本発明の床下地材用樹脂ボードと積層対象との結合状況を示す概念図である。
【符号の説明】
１‥床下地材用樹脂ボード
１Ａ‥表皮
１Ｂ‥接着層
２‥捨板
３‥仕上材
４‥クッションゴム
５‥支持脚
６‥受金具
７‥コマ受け材
８‥接着剤
９‥釘
１０‥他の床構成材
２０‥床基盤
３０‥押出成形機
３１‥カレンダーロール
【図１】
2004162408.tif 000003
【図２】
2004162408.tif 000004
【図３】
2004162408.tif 000005